(57)【要約】【課題】ユニット建物において、屋外階段への出入りのためのバルコニーを有するユニットを用いるとともに、居室の面積を拡張すること。【解決手段】ユニット建物１０において、居室３２とバルコニー３３を有する第１建物ユニット３０と、居室４２と屋外階段４３を有する第２建物ユニット４０を水平方向にて隣接設置し、屋外階段４３の階下部をバルコニー３３に臨ませ、屋外階段４３の階上部を屋上２３Ａ、３９Ａ、４５Ａに臨ませてなるもの。【選択図】  図２
2004360328.tif 000002
【特許請求の範囲】
【請求項１】
居室とバルコニーを有する第１建物ユニットと、居室と屋外階段を有する第２建物ユニットを水平方向にて隣接設置し、屋外階段の階下部をバルコニーに臨ませ、屋外階段の階上部を屋上に臨ませてなるユニット建物。
【請求項２】
前記バルコニーが第１建物ユニットの短辺に沿って設けられるとともに、屋外階段が第２建物ユニットの短辺に沿って設けられる請求項１に記載のユニット建物。
【請求項３】
居室とドア開閉用引込部を有する第１建物ユニットと、居室と屋外階段を有する第２建物ユニットを水平方向にて隣接設置し、屋外階段の階下部をドア開閉用引込部に臨ませ、屋外階段の階上部を屋上に臨ませてなるユニット建物。
【発明の詳細な説明】
【０００１】
【発明の属する技術分野】
本発明はユニット建物に関する。
【０００２】
【従来の技術】
特許文献１に記載の如く、例えば２階層のユニット建物の２階において、バルコニーユニットと、居室と屋外階段を有する階段付きユニットを水平方向にて隣接設置し、屋外階段の階下部をバルコニーに臨ませ、屋外階段の階上部を屋上に臨ませてなるものがある。バルコニーから屋上への移動が可能な階段を、現場での取付作業なしに容易に設置することができる。
【０００３】
【特許文献１】
特開平１１−１８１８９０（１頁、図１）
【０００４】
【発明が解決しようとする課題】
特許文献１の従来技術では、屋外階段への出入りのためにバルコニーユニットを経由する必要がある。バルコニーユニットは全体をバルコニーとして用いるものであり、このバルコニーユニットを独立のユニットとして付加するにもかかわらず、ユニット建物における居室の面積を拡張するには至らない。
【０００５】
本発明の課題は、ユニット建物において、屋外階段への出入りのためのバルコニーを有するユニットを用いるとともに、居室の面積を拡張することにある。
【０００６】
本発明の他の課題は、ユニット建物において、屋外階段への出入りのためのドア開閉用引込部を有するユニットを用いるとともに、居室の面積を拡張することにある。
【０００７】
【課題を解決するための手段】
請求項１の発明は、居室とバルコニーを有する第１建物ユニットと、居室と屋外階段を有する第２建物ユニットを水平方向にて隣接設置し、屋外階段の階下部をバルコニーに臨ませ、屋外階段の階上部を屋上に臨ませてなるユニット建物である。
【０００８】
請求項２の発明は、請求項１の発明において更に、前記バルコニーが第１建物ユニットの短辺に沿って設けられるとともに、屋外階段が第２建物ユニットの短辺に沿って設けられるようにしたものである。
【０００９】
請求項３の発明は、居室とドア開閉用引込部を有する第１建物ユニットと、居室と屋外階段を有する第２建物ユニットを水平方向にて隣接設置し、屋外階段の階下部をドア開閉用引込部に臨ませ、屋外階段の階上部を屋上に臨ませてなるユニット建物である。
【００１０】
【作用】
請求項１の発明によれば下記▲１▼の作用がある。
▲１▼ユニット建物において、屋外階段への出入りのためのバルコニーを有する第１建物ユニットの内部で、一部をバルコニーとし、残部を居室にした。第１建物ユニットの内部で、バルコニーの面積を必要最低限にして居室を確保することにより、ユニット建物における居室の面積を拡張できる。
【００１１】
請求項２の発明によれば下記▲２▼の作用がある。
▲２▼バルコニー、屋外階段とも、第１建物ユニット、第２建物ユニットの短辺に沿って設けるものとすることにより、それらの各ユニットの残部である居室の平面が使い易い形状になる。
【００１２】
請求項３の発明によれば下記▲３▼の作用がある。
▲３▼ユニット建物において、屋外階段への出入りのためのドア開閉用引込部を有する第１建物ユニットの内部で、ドアの開閉に要するドア開閉用引込部のスペース以外は全て居室とするものであり、ユニット建物における居室の面積を十分に拡張できる。
【００１３】
【発明の実施の形態】
図１は第１実施形態のユニット建物を示し、（Ａ）は２階の模式平面図、（Ｂ）は屋上の模式平面図、図２はユニット建物を示す模式斜視図、図３は第２実施形態のユニット建物を示し、（Ａ）は２階の模式平面図、（Ｂ）は屋上の模式平面図、図４はユニット建物を示す模式斜視図である。
【００１４】
（第１実施形態）（図１、図２）
ユニット建物１０は、複数の工場生産された建物ユニットを建築現場の基礎の上に水平方向と鉛直方向にて隣接設置して構築された、例えば２階層からなる。ユニット建物１０の２階部分では、図１、図２に示す如く、１個以上の標準建物ユニット２０と、各１個の第１建物ユニット３０及び第２建物ユニット４０が水平方向にて隣接設置される。
【００１５】
標準建物ユニット２０は、例えば４本の鋼管製柱と４本の形鋼製の床梁と４本の形鋼製天井梁を箱形に接合した骨組構造体からなる。標準建物ユニット２０の内部は居室２１とされ、居室２１の屋外に臨む側面には外壁材２２が貼られ、居室２１の上面には屋根材２３が敷かれる。標準建物ユニット２０の屋根材２３は、防水、防火性能をもち、かつ歩行可能とされて屋上２３Ａを形成する。
【００１６】
第１建物ユニット３０は、標準建物ユニット２０と同一の骨組構造体からなり、骨組の内部に、該ユニットの短辺に沿う仕切壁３１を設け、仕切壁３１の一方を居室３２とし、仕切壁３１の他方を該ユニットの短辺に沿うバルコニー３３とする。仕切壁３１の一部には、ドア３４が設けられる。居室３２の屋外に臨む側面には外壁材３５が貼られ、バルコニー３３の屋外に臨む側面には腰壁３６及び開口３７が設けられる。バルコニー３３の第２建物ユニット４０に接続される側面には後述する屋外階段４３への出入口３８が設けられる。居室３２とバルコニー３３の上面には屋根材３９が敷かれる。第１建物ユニット３０の屋根材３９は、防水、防火性能をもち、かつ歩行可能とされて屋上３９Ａを形成する。
【００１７】
第２建物ユニット４０は、標準建物ユニット２０と同一の骨組構造体からなり、骨組の内部に、該ユニットの短辺に沿う仕切壁４１を設け、仕切壁４１の一方を居室４２とし、仕切壁４１の他方を該ユニットの短辺に沿う屋外階段４３とする。仕切壁４１は屋外階段４３の階段上の空間と居室４２との間にだけ設置され、屋外階段４３の階段下の空間は居室４２と連続する空間として利用できる。居室４２、屋外階段４３の屋外に臨む側面には外壁材４４が設けられる。居室４２の上面には屋根材４５が敷かれる。第２建物ユニット４０の屋根材４５は、防水、防火性能をもち、かつ歩行可能とされて屋上４５Ａを形成する。屋外階段４３の階下部４３Ａは第１建物ユニット３０のバルコニー３３の出入口３８に連続するように開放され、屋外階段４３の階上部４３Ｂは屋上４５Ａへの出入口４６となる。
【００１８】
ユニット建物１０において、標準建物ユニット２０の居室２１、第１建物ユニット３０の居室３２、第２建物ユニット４０の居室４２は互いに出入り可能に連続する。また、標準建物ユニット２０の屋上２３Ａ、第１建物ユニット３０の屋上３９Ａ、第２建物ユニット４０の屋上４５Ａは互いに連続し、それらの周囲には手摺（不図示）が立設される。
【００１９】
ユニット建物１０によれば、第１建物ユニット３０の居室３２にバルコニー３３を付帯させるとともに、バルコニー３３から屋上２３Ａ、３９Ａ、４５Ａ等への移動を第２建物ユニット４０に設けた屋外階段４３を用いて行なうことができる。バルコニー３３、屋外階段４３は第１建物ユニット３０、第２建物ユニット４０の工場生産段階で設置され、現場での取付作業を必要としない。
【００２０】
本実施形態によれば以下の作用がある。
▲１▼ユニット建物１０において、屋外階段４３への出入りのためのバルコニー３３を有する第１建物ユニット３０の内部で、一部をバルコニー３３とし、残部を居室３２にした。第１建物ユニット３０の内部で、バルコニー３３の面積を必要最低限にして居室３２を確保することにより、ユニット建物１０における居室３２の面積を拡張できる。
【００２１】
▲２▼バルコニー３３、屋外階段４３とも、第１建物ユニット３０、第２建物ユニット４０の短辺に沿って設けるものとすることにより、それらの各ユニット３０、４０の残部である居室３２、４２の平面が使い易い形状になる。
【００２２】
（第２実施形態）（図３、図４）
第２実施形態のユニット建物１０Ａが第１実施形態のユニット建物１０と異なる点は、第１建物ユニット３０に代わる第１建物ユニット３０Ａを用いたことにある。
【００２３】
第１建物ユニット３０Ａは、標準建物ユニット２０と同一の骨組構造体からなり、骨組の内部で、該ユニットの短辺と長辺が交差するコーナー部の一角を区画する仕切壁５１Ａとドア５１Ｂを設け、仕切壁５１Ａの一方を居室５２とし、仕切壁５１Ａの他方をドア開閉用引込部５３とする。ドア開閉用引込部５３はドア５１Ｂの開閉に要するスペースを形成する。居室５２及びドア開閉用引込部５３の屋外に臨む側面には外壁材５４が設けられる。ドア開閉用引込部５３の第２建物ユニット４０に接続される側面には、屋外階段４３への出入口５５が設けられる。居室５２とドア開閉用引込部５３の上面には屋根材５６が敷かれる。第１建物ユニット３０Ａの屋根材５６は、防水、防火性能をもち、かつ歩行可能とされて屋上５６Ａを形成する。
【００２４】
ユニット建物１０Ａにおいて、標準建物ユニット２０の居室２１、第１建物ユニット３０Ａの居室５２、第２建物ユニット４０の居室４２は互いに出入り可能に連続する。また、標準建物ユニット２０の屋上２３Ａ、第１建物ユニット３０Ａの屋上５６Ａ、第２建物ユニット４０の屋上４５Ａは互いに連続し、それらの周囲には手摺（不図示）が立設される。
【００２５】
ユニット建物１０Ａによれば、第１建物ユニット３０Ａの居室５２にドア開閉用引込部５３を付帯させるとともに、ドア開閉用引込部５３から屋上２３Ａ、５６Ａ、４５Ａ等への移動を第２建物ユニット４０に設けた屋外階段４３を用いて行なうことができる。ドア開閉用引込部５３、屋外階段４３は第１建物ユニット３０Ａ、第２建物ユニット４０の工場生産段階で設置され、現場での取付作業を必要としない。
【００２６】
本実施形態によれば以下の作用効果がある。
ユニット建物１０Ａにおいて、屋外階段４３への出入りのためのドア開閉用引込部５３を有する第１建物ユニット３０Ａの内部で、ドア５１Ｂの開閉に要するドア開閉用引込部５３のスペース以外は全て居室５２とするものであり、ユニット建物１０Ａにおける居室５２の面積を十分に拡張できる。
【００２７】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００２８】
【発明の効果】
本発明によれば、ユニット建物において、屋外階段への出入りのためのバルコニーを有するユニットを用いるとともに、居室の面積を拡張することができる。
【００２９】
また、本発明によれば、ユニット建物において、屋外階段への出入りのためのドア開閉用引込部を有するユニットを用いるとともに、居室の面積を拡張することができる。
【図面の簡単な説明】
【図１】図１は第１実施形態のユニット建物を示し、（Ａ）は２階の模式平面図、（Ｂ）は屋上の模式平面図である。
【図２】図２はユニット建物を示す模式斜視図である。
【図３】図３は第２実施形態のユニット建物を示し、（Ａ）は２階の模式平面図、（Ｂ）は屋上の模式平面図である。
【図４】図４はユニット建物を示す模式斜視図である。
【符号の説明】
１０、１０Ａ  ユニット建物
２３Ａ、３９Ａ、４５Ａ  屋上
３０、３０Ａ  第１建物ユニット
３２  居室
３３  バルコニー
４０  第２建物ユニット
４２  居室
４３  屋外階段
５２  居室
５３  ドア開閉用引込部
【図１】
2004360328.tif 000003
【図２】
2004360328.tif 000004
【図３】
2004360328.tif 000005
【図４】
2004360328.tif 000006